(57)【要約】【課題】従来、携帯用防犯装置として防犯ブザー等がある。しかし、暴漢、ストーカ等の犯罪者は女性等を尾行後に後方から犯行に及ぶのが一般的であり、尾行者等の未然察知手段がなかった為、緊急時に防犯ブザーで警報音を発するのは事後になる課題があった。【解決手段】本発明は、小型の監視カメラ２を歩行時に背中やバッグに後ろ向きに取付けて携帯すると共に、該監視カメラを、使用者の手元で表示するための携帯表示部３と接続コード４で接続し、携帯表示部３の操作キーで後方の撮像状況を制御する。こうして、使用者は後方を振り向くことなく前進できるように構成した監視カメラ装置１００である。  女性等が人気のない場所で一人歩きし、後方に不審者の気配や不安を感じる時等に、本監視カメラ装置を携帯して使用することにより、尾行者等を未然に察知し、緊急時には警報を発して救助を求めたり、証拠写真を警察へ自動転送する等の処置が可能となる。【選択図】    図１
2004236347.tif 000002
【特許請求の範囲】
【請求項１】
携帯表示部と、前記携帯表示部とは別筐体で構成した監視カメラと、前記携帯表示部と前記監視カメラとを電気的に接続する接続コードとを含む監視カメラ装置であって、前記携帯表示部は、ディスプレイと、前記監視カメラを制御する制御部と、前記監視カメラが撮像した画像の信号を前記携帯表示部に入力する為の入力端子とを備え、
前記監視カメラは該監視カメラを着脱する為の取付部を備え、前記携帯表示部では、前記監視カメラで使用者の後方を撮像した画像出力を前記ディスプレイに表示することを特徴とする監視カメラ装置。
【請求項２】
携帯表示部と、前記携帯表示部とは別筐体で構成した監視カメラと、前記携帯表示部と前記監視カメラとを電気的に接続する接続コードとを含む監視カメラ装置であって、前記携帯表示部は、内蔵カメラと、ディスプレイと、前記監視カメラを制御する制御部と、前記監視カメラが撮像した画像出力を前記携帯表示部に入力する為の入力端子とを備え、
前記携帯表示部は、前記内蔵カメラの画像出力と前記監視カメラの画像出力とのいずれか一方を選択的に前記ディスプレイに表示することを特徴とする監視カメラ装置。
【請求項３】
前記携帯表示部は、前記内蔵カメラの画像出力と前記監視カメラの画像出力とのいずれか一方を選択して出力するスイッチを備えることを特徴とする請求項２に記載の監視カメラ装置。
【請求項４】
前記接続コードは、前記接続コードを前記携帯表示部へ接続する為のコネクタを備え、前記ディスプレイが表示する画像信号を前記内蔵カメラの画像出力と前記監視カメラの画像出力との間で切替える際に、前記コネクタの嵌脱に連動させて切替えることを特徴とする請求項２に記載の監視カメラ装置。
【請求項５】
携帯表示部と、前記携帯表示部とは別筐体で構成した監視カメラと、前記携帯表示部と前記監視カメラとを電気的に接続する接続コードとを含む監視カメラ装置であって、前記携帯表示部は、ディスプレイと、前記監視カメラを制御する制御部と、前記監視カメラが撮像した画像出力を前記携帯表示部に入力する為の入力端子とを備え、
前記監視カメラは前記携帯表示部に合体可能であることを特徴とする監視カメラ装置。
【請求項６】
前記接続コードを、使用者が前記監視カメラを首から懸吊する為の懸吊部材として兼用することを特徴とする請求項1乃至請求項５のいずれか一つに記載の監視カメラ装置。
【発明の詳細な説明】
【技術分野】
【０００１】
本発明は、使用者が歩行時等に監視カメラで後方を撮像しながら歩行出来るようにした携帯型の後方監視カメラ装置に関する。
【背景技術】
【０００２】
近年は、我が国も所謂ストーカ行為や暴漢及び引ったくりで代表される犯罪行為が多発ている。従来、女性や子供が一人歩きする場合等に携帯し、緊急時に、警報を発して緊急事態を報知する為の携帯用防犯装置としては、防犯ブザー、防犯ベル等が知られている。
【０００３】
一方、最近のデジタルブームと共に著しく普及しつつあるデジタルカメラやカメラ付携帯電話機等に防犯機能を付加して構成した防犯装置の公知技術としては、携帯電話端末に警報音を発する装置を付属させた装置があり、例えば文献１（特許文献１）に開示されている。更に、前記携帯電話機に付属させる防犯機能として警報音と同時に、フラッシュライトを発光させる構成とし、それら二つの防犯手段を備えて緊急時に警報を発っしたり、該通信端末から警察等へ自動転送する構成として、犯人からの被害を防止するようにした携帯型防犯装置があり、例えば公知文献２（特許文献２）に開示されている。
また、カメラ付携帯電話機の画像データをメモリに保存し、画像比較手段を用いて防犯装置を構成する技術が、例えば文献３（特許文献３）に開示されている。
【特許文献１】特開２００１−１０９９７６
【特許文献２】特開２００３−２１９０６２
【特許文献３】特開２００２−１５２３４１
【発明の開示】
【発明が解決しようとする課題】
【０００４】
しかし、痴漢、暴漢、ストーカや引ったくり犯等は一般に歩行者の前方から襲って来るのではなく、暫く尾行した後に相手の後方から犯行に及ぶのが一般的パターンであり、前記防犯ブザーや前記特許文献に開示されている防犯機能付の携帯電話機等を携帯していても、それら、従来の防犯装置では、警報音を発して救助を求める操作や行為が、特に、一人歩きの際には後手になるという課題があった。
従って、女性等が夜間に人気の少ない場所で一人歩きする際に、後方を監視しながら歩行出来るようにした監視システムの出現が要望されていた。
【０００５】
本発明の主たる目的は、歩行者の後方を監視する監視カメラで得られる画像の状態を歩行者自身が手元で制御することができ、前記監視カメラで撮像した画像を手元の表示装置に表示しながら前進出来るようにして、後方の不審者等を歩行者が認識出来るようにした監視カメラ装置を提供することである。
【課題を解決するための手段】
【０００６】
前記課題を解決する為に、本発明の監視カメラ装置は次のように構成されている。
第１の発明の監視カメラ装置は、携帯表示部と、前記携帯表示部とは別筐体で構成した監視カメラと、前記携帯表示部と前記監視カメラとを電気的に接続する接続コードとを含む監視カメラ装置であって、前記携帯表示部は、ディスプレイと、前記監視カメラを制御する制御部と、前記監視カメラが撮像した画像出力を前記携帯表示部に入力する為の入力端子とを備え、
前記監視カメラは該監視カメラを着脱する為の取付部を備え、前記携帯表示部では、前記監視カメラで使用者の後方を撮像した画像出力を前記ディスプレイに表示するようにした監視カメラ装置である。
【０００７】
第２の発明の監視カメラ装置は、監視カメラ装置の携帯表示部と、前記携帯表示部とは別筐体で構成した監視カメラと、前記携帯表示部と前記監視カメラとを電気的に接続する接続コードとを含む監視カメラ装置であって、前記携帯表示部は、内蔵カメラと、ディスプレイと、前記監視カメラを制御する制御部と、前記監視カメラが撮像した画像出力を前記携帯表示部に入力する為の入力端子とを備え、
前記携帯表示部は、前記内蔵カメラの画像出力と前記監視カメラの画像出力とのいずれか一方を選択的に前記ディスプレイに表示するようにした監視カメラ装置である。
【０００８】
第３の発明の監視カメラ装置は、前記第２の発明の監視カメラ装置において、前記携帯表示部は、前記内蔵カメラの画像出力と前記監視カメラの画像出力とのいずれか一方を選択して出力するスイッチを備えるようにした監視カメラ装置である。
【０００９】
第４の発明の監視カメラ装置は、前記第２の発明の監視カメラ装置において、前記接続コードは、前記ディスプレイが表示する画像信号を前記内蔵カメラの画像出力と前記監視カメラの画像出力との間で切替える際に、前記コネクタの嵌脱に連動させて切替えるようにした監視カメラ装置である。
【００１０】
第５の発明の監視カメラ装置は、監視カメラ装置の携帯表示部と、前記携帯表示部とは別筐体で構成した監視カメラと、前記携帯表示部と前記監視カメラとを電気的に接続する接続コードとを含む監視カメラ装置であって、前記携帯表示部は、ディスプレイと、前記監視カメラを制御する制御部と、前記監視カメラが撮像した画像出力を前記携帯表示部に入力する為の入力端子とを備え、
前記監視カメラは前記携帯表示部に合体可能として構成するようにした監視カメラ装置である。
【００１１】
第６の発明の監視カメラ装置は、前記第１〜第５のいずれかの発明の監視カメラ装置において、前記接続コードを、使用者が前記監視カメラを首から懸吊する為の懸吊部材として兼用するようにした監視カメラ装置である。
【発明の効果】
【００１２】
本発明の監視カメラ装置には、以下に列記する多くの効果や特徴がある。
二眼が前を向いた人間の視角上の弱点は、歩行時等に後方が死角になることである。しかし、前記したように、暴漢、ストーカ、窃盗犯らは歩行者を尾行した後に、後方から犯行に及ぶのが一般的パターンである。従って、女性等が夜間に人気の少ない場所での一人歩きをする時は常に後方に不安を感じつつ歩行する場合が多く、後ろの目の機能を果せる監視システムが従来から強く要望される状況にあった。
そこで、歩行時に携帯して後方状況の画像表示を可能にした本発明の監視カメラ装置を用いた場合に、緊急時には事前に救助を要請したり、尾行犯の証拠写真をフラッシュ撮影したり、通信機能を利用して画像データを予め設定したアドレス先の警察、警備会社、自宅等へ自動転送する等の防犯システムへの展開も図れる。
更に、本監視カメラ装置が世の中に普及した暁には、前記監視カメラを女性等が背中やバッグに後ろ向きに携帯している状況を尾行犯等が視認しただけで、尾行者は尾行者自身がディスプレイされていることを察知し、尾行や犯行を諦めたり、逃亡したりする心理的効果も充分期待出来る。
【００１３】
本発明に係る第１実施例の監視カメラ装置によれば、携帯表示部と、前記携帯表示部とは別筐体で構成した監視カメラと、前記携帯表示部と前記監視カメラとを電気的に接続する接続コードとを含めて本発明監視カメラ装置を構成し、前記携帯表示部が、ディスプレイと、前記監視カメラを制御する制御部と、前記監視カメラが撮像した画像の信号を前記携帯表示部に入力する為の入力端子とを備え、更に、前記監視カメラは該監視カメラを着脱する為の取付部を備える構成とすることにより、
使用者が小型の監視カメラを背中やバッグ等に後方に向けて取付けることが容易になり、使用者は、必要時に手元の携帯表示部が備える制御部により前記監視カメラの撮像画像を制御して、後方を振り向くことなく、後方を監視しながら前進することが出来ると言う効果を奏する。
【００１４】
本発明に係る第２実施例の監視カメラ装置によれば、携帯表示部と、前記携帯表示部とは別筐体で構成した監視カメラと、前記携帯表示部と前記監視カメラとを電気的に接続する接続コードとを含めて本発明監視カメラ装置を構成することにより、
使用者が、小型の監視カメラを背中やバッグ等に取付け、手元の携帯表示部が備える制御部により前記監視カメラの撮像画像を制御することが容易となり、使用者は、後方を振り向くことなく、後方を監視しながら前進することが出来ると言う効果を奏する。
また、前記携帯表示部は、内蔵カメラと、ディスプレイと、前記監視カメラを制御する制御部とを備えて、前記内蔵カメラの画像出力と前記監視カメラの画像出力とのいずれか一方を選択的に前記ディスプレイに表示する構成としたことにより、
使用者の後方を監視する必要がない場合に、前記携帯表示部を用いて、カメラとディスプレイを備える必要があるが監視機能を備える必要がない携帯型電子機器を構成することが容易となる。
【００１５】
また、本発明に係る第２実施例の監視カメラ装置によれば、前記携帯表示部は、前記内蔵カメラの画像出力と前記監視カメラの画像出力とのいずれか一方を選択して出力するスイッチを備える構成としたことにより、
前記接続コードを前記携帯表示部に接続したままで、前記内蔵カメラの画像出力と前記監視カメラの画像出力とのいずれか一方を選択的に前記ディスプレイに表示することが出来る。
【００１６】
更に、本発明に係る第２実施例の監視カメラ装置によれば、前記接続コードは、前記接続コードを前記携帯表示部へ接続する為のコネクタを備え、前記ディスプレイが表示する画像信号を前記内蔵カメラの画像出力と前記監視カメラの画像出力との間で切替える際に、前記コネクタの嵌脱に連動させて切替える構成としたことにより、
前記接続コードの先端に備えたコネクタを前記携帯表示部に対して嵌脱する操作に連動させて、前記ディスプレイに表示する画像を選択させることが可能となる。
【００１７】
本発明に係る第３実施例の監視カメラ装置によれば、携帯表示部と、前記携帯表示部とは別筐体で構成した監視カメラと、前記携帯表示部と前記監視カメラとを電気的に接続する接続コードとを含む構成とし、前記携帯表示部は、ディスプレイと、前記監視カメラを制御する制御部と、前記監視カメラが撮像した画像出力を前記携帯表示部に入力する為の入力端子とを備え、前記監視カメラが撮像した画像出力を前記携帯表示部に入力する為の入力端子を備えて、前記監視カメラは前記携帯表示部に合体可能である構成とすることにより、
後方を監視する必要がない場合に、前記監視カメラを前記携帯表示部に合体させて、カメラとディスプレイを備える必要があるが監視機能を備える必要がない携帯型電子機器のカメラとして、前記監視カメラを兼用することが出来る。
【００１８】
本発明に係る第１実施例〜第４実施例の監視カメラ装置によれば、前記接続コードを、使用者が前記監視カメラを首から懸吊する為の懸吊部材として兼用する構成としたことにより、
首から前記監視カメラを懸吊する際に、懸吊専用の部材が少なく安価に製造出来る。また、懸吊部材が少ない為に、前記監視カメラの着脱の際に邪魔になる部材が少なく、着脱が容易である。更に、懸吊部材が少なくなる為に、懸吊部材が監視カメラの視界を遮る危険が少なくなり、且つ、懸吊部材が歩行の邪魔になりにくい。又、懸吊紐の数が少ない為に、前記接続コードで前記監視カメラの向きを容易に操作出来る。
【００１９】
なお、本発明に係る第２実施例〜第４実施例実施例の監視カメラ装置によれば、携帯表示部として、例えば、現在普及中のデジタルカメラやカメラ付携帯電話機及び携帯型ムービ等の携帯型電子機器が備える表示機能を利用する為に、前記携帯型電子機器の筐体部に画像入力端子やモード切替スイッチを設ける。これにより、前記携帯型電子機器を本発明の主要構成部分である携帯表示部として活用することが出来る。即ち、前記携帯表示部とは別筐体で構成した監視カメラを、前記携帯型電子機器と同様の装置にオプションとして追加することによって、本発明監視カメラ装置を低コストで製造することが可能である。
【００２０】
本発明に係る第１実施例〜第４実施例の監視カメラ装置によれば、警察官が容疑者を追跡する場合等に先回りして、隠し撮りをする場合に、容疑者等の撮影をすることも可能であり、更に、スチル写真のみならず、フレーム間引きやデータ圧縮した動画像及び監視カメラを携帯型ムービと接続して構成する場合は、完全なフル動画像（監視カメラの性能と関連して）によるディスプレイや長時間収録も可能である。この構成例を図８（ａ）に示す。
【００２１】
本発明に係る第４実施例の監視カメラ装置によれば、今後、所謂フレキシブル有機ＥＬディスプレイとして透明フィルム状のディスプレイの開発実現が期待されている。従って、該有機ＥＬディスプレイを衣類や帽子、更には、眼鏡に取付けて前記携帯表示部を構成したり、監視カメラと携帯表示部付のハイテック帽子をスポ―ツ時等に着用し、例えば、マラソンや、駅伝競技等で後方の選手を視認しながら競技することも可能である。この構成例を図８（ｂ）、（ｅ）、（ｆ）に示す。
【発明を実施するための最良の形態】
【００２２】
以下、本発明の最良の実施形態について説明する。本発明監視カメラ装置は主に後方監視装置としての後方監視機能が重視されるが、後方を監視する必要がない場合に、本発明監視カメラ装置の一部を用いて、カメラ及びディスプレイを用いた携帯型電子機器の機能を備える構成とすることにより、本監視カメラ装置の機能を拡大し、製造コストの低下を計ることも出来る。
この為、以下の実施例の説明では、前記カメラとディスプレイを備えた携帯型電子機器として、既に普及しているデジタルカメラやカメラ付携帯型電話機及び携帯型ムービを例示して説明する。
【００２３】
初めに、本発明監視カメラ装置の監視カメラと携帯表示部に用いる構成素子について記載する。
本発明における監視カメラには、近年、デジタルカメラやカメラ付携帯電話機及び携帯型ムービの撮像素子として用いられているＣＣＤ（Ｃｈａｒｇｅ  Ｃｏｕｐｌｅｄ  Ｄｅｖｉｃｅ）や、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）及び人工網膜ＬＳＩ等を用いことが出来る。一方、本発明における携帯表示部には、液晶ディスプレイと称されるＬＣＤ（Ｌｉｑｕｉｄ  Ｃｒｙｓｔａｌ  Ｄｉｓｐｌａｙ）を使用し、将来的には、フレキシブル有機ＥＬディスプレイを用いて構成することも可能となろう。
【００２４】
本実施例形態における監視カメラは、撮像素子であるＣＣＤ／ＣＭＯＳセンサと周辺電子回路とで構成され、該監視カメラは使用者の背中やバッグ等に後向きに取付けて携帯される。一方、本実施例形態における携帯表示部の表示装置は、
（１）前記監視カメラで撮像した画像専用のディスプレイ（以下、専用ディスプレイとも記す）で構成するか、或いは、
（２）内蔵カメラを備えた携帯型電子機器のディスプレイを用いて構成する。
前記（２）の場合は、前記携帯型電子機器に画像信号入力用の入力端子やスイッチを設ける。そして、前記した携帯表示部と監視カメラとをコードで接続して本発明の監視カメラ装置を構成する。
【００２５】
以下、携帯表示部の表示装置を専用ディスプレイによって構成した第１実施例に係る監視カメラ装置１００について説明する。なお、本明細書では発明の構成を理解し易くする為に、多くのイラスト図を用いて図解表示する。また、図中で、同一構成、同一作用の要素には同一の名称及び同一の符号を付してある。
【実施例１】
【００２６】
図１は本発明第１実施例に係る監視カメラ装置１００の構成を示す図である。図２は本発明第１実施例に係る監視カメラ装置１００の使用態様と監視カメラの取付け態様とを示す図である。
図１（ａ）において、携帯表示部３のディスプレイ８は監視カメラ２で撮像した画像専用のディスプレイ８で構成される。携帯表示部３は、表示部筐体３ａにディスプレイ８と操作キー９等を備えて構成される。操作キー９は監視カメラ２の制御部の一部を構成し、携帯表示部３と監視カメラ２とは接続コード４で電気的に接続される。監視カメラ２は該監視カメラ２を携帯することを可能にする為に、監視カメラ２を着脱する為の取付部１２ｂを備える。即ち、取付部１２ｂは、監視カメラ２を使用者の携帯物に係止する為の係止部材、例えば、クリップ１３、両面テープ１３ｂ、磁石等が取付けられる場所である。
【００２７】
初めに、監視カメラ２の筐体構成と携帯時の取付部と懸吊部及び接続端子の構成等について図１（ａ）〜（ｈ）と共に説明する。
図１（ｂ）は監視カメラ２の正面図であり、図１（ａ）に示す監視カメラ２は、監視カメラ２の取付部１２ｂ側から見た斜視図として描かれている。
監視カメラ２は、図１（ｂ）のように筐体前面１２ａにレンズ２１が配置され、ＣＣＤセンサや周辺電子回路及び画像信号等を出力する為の接続端子１４、ハンガークリップ１３等を備えてカメラ筐体１２がコンパクトに構成されている。
特に、本発明における監視カメラ２は携帯使用時における携帯物への着脱操作の便宜を計ると共に、監視カメラ２を安定的に取付保持して良好な撮像条件を得る為に、本発明におけるカメラ筐体１２の形体や取付け方法については図１（ｂ）〜（ｈ）の各図に示してある。それらの実施例における構成要点をまとめて列記すると以下の如くである。
【００２８】
即ち、
（１）接続端子１４を筐体側部１２ｃ（取付部と直交する側）に設ける。
（２）カメラ筐体を薄型構成に（レンズの向きに直交する横方向に薄く）して用い、レンズ２１が取付けられた反対側を取付部１２ｂとして、該部取付部１２ｂにクリップ１３を取付けたり、取付部１２ｂに粘着テープ１３ａ等を用いて貼着する。
（３）監視カメラ２を吊下げた状態として、首から背中部に懸吊して携帯する場合は、カメラ筐体１２の上部を懸吊部１２ｄとして懸吊部材で吊下げ可能な構成にする。
上記三点の構成配慮により、本監視カメラ装置に用いる監視カメラは機能効果を奏し得る構成となる。図１（ａ）に示すクリップは、カメラ筐体１２の取付部１２ｂに一体加工した挟み形式のハンガークリップ１３とした構成例である。
なお、図１（ｃ）〜（ｇ）の構成例に関しては以下に示す各実施例の構成と関連的に説明する。図１（ｈ）はカメラ筐体１２を楕円形状に構成してある。なお、接続端子１４は接続コード４が直結式に接続されてもコネクタを設けた接続であってもよい。
【００２９】
さて、  図１は本発明第１実施例では、図１（ａ）の接続コード４は携帯表示部３の入力端子１１に直結式に接続される。なお、図２（ｄ）に示すように、監視カメラ２からの接続コード４の端部に、例えば凸コネクタ１５を設け、携帯表示部３の入力端子１１に凹コネクタを設けて係合接続するように構成してもよい。この場合、携帯表示部３の入力端子１１に図３（ｂ）に示すように凹コネクタ１１ａを設けて前記凸コネクタ１５と係合接続する。
なお、表示部筐体３ａの一部に防犯ブザー４６と該防犯スイッチ４７や筐体前面１２ａにフラッシュ２２を付加し、緊急時に警報音を発したりフラッシュを発光させるするように構成すると、防犯装置としては機能効果が一層高まる。
【００３０】
また、図２（ａ）〜（ｈ）の各図は本発明における第１実施例の監視カメラ装置１００に関する携帯使用時の状況を主体に示したイメージイラスト図であり、これらの図と図１とにより、本発明第１実施例の構成概要は、大略理解し得るものと思われる。
図２（ａ）は女性の使用者１が監視カメラ２をショルダーバッグ５にクリップ１３で後向きに取付けて携帯し、監視カメラ２と携帯表示部３とを接続コード４で接続するようにした場合の使用状態を示す。使用者１は監視カメラ２からの撮像状況を手元の操作キー９で制御しながら、携帯表示部３に後方状況をディスプレイ８に表示しつつ歩行している状況である。前記撮像状況とは、監視カメラ２が撮像する被写体の像の大きさ等を指す。
【００３１】
一方、図２（ｂ）は、通学時に後方からの尾行犯６の有無を手元携帯表示部３でディスプレイ８しながら学童（使用者）１が通学している状況を示す。監視カメラ２は図２（ｄ）に示す如く、ランドセル４６の蓋部４６ａに両面粘着テープ１３ａで固着されている。
なお、図２（ｄ）では監視カメラ２からの接続コード４を肩掛け用のバンドに留具４７で一旦固定後、接続コード４の凸コネクタ１５を携帯表示部３に接続している。
そして、図２（ｃ）は所謂不審者、痴漢、暴漢、ストーカ等の尾行犯６を示すイメージ図である。
また、監視カメラ２のカメラ筐体１２の反対側には、図１に示すカメラ筐体１２に一体加工したハンガークリップ１３や、図２（ｅ）に示すばねクリップと安全ピンとを備えたクリップ１３を設けることで、監視カメラ２の着脱が容易になる。
【００３２】
さて、図２（ｆ）、（ｇ）は、監視カメラ装置１００の他の使用状況を示したものである。即ち、図２（ｆ）では使用者１の衣服の背部に、図２（ｇ）では帽子２３に対して、前記カメラ筐体１２に設けたクリップ１３で監視カメラ２を後向きにして取付けるようにした使用状態を示す。
そして、図２（ｆ）、（ｇ）に示す使用状態では、破線で示す接続コード４が衣服の内側に隠れている。
なお、監視カメラ２は図２（ｈ）のようにレンズキャップを兼ねたカメラケース１６に収納し、使用時のみ蓋部１７を開き、不使用時は凹ホック１９を凸ホック２０に嵌めてキャップする構成としてもよい。また、図２（ｈ）のカメラ筐体１２にはフラッシュ２２が設けてあり、緊急時にフラッシュを発光させる構成にすると、暗い夜間時等に防犯装置としての機能効果が一層高まる。
【００３３】
ところで、前記各実施例で後方向きに取付けた監視カメラ２では、使用者１の身体の回動動作や、シュルダーバッグ５及び帽子２３の姿勢を変更することによって、撮像対象を例えば尾行犯６に合わせる為の制御を行うことが出来る。前記監視カメラ２における撮影状況の制御は、全て携帯表示部３の制御部に設けた操作キー９に基づいて行われる。前記制御とは、例えば、パンやズーム等であり、手元携帯表示部３の操作キー９によって光学ズームやデジタルズームで被写体をクローズアップして確認することが出来る。
【実施例２】
【００３４】
図３は、本発明第２実施例に係る監視カメラ装置２００の構成と使用態様とを示す図である。図３（ａ）は現在普及しているデジタルカメラ３ｂの正面の斜視図、図３（ｂ）は裏面の斜視図を例示する図である。
前記第１実施例の説明によって本発明の構成や特徴は明らかになったものと思われるので、以下の第２実施例の説明では前記第１実施例と同一構成部分についての説明を省略し、異なる構成要素のみを簡潔に説明する。
【００３５】
図３において、監視カメラ装置２００は携帯表示部３と監視カメラ２と接続コード４とで構成される。携帯表示部３は所謂携帯型電子機器の一つであるデジタルカメラ３ｂで構成する。デジタルカメラ３ｂは、デジタルカメラ筐体３ｃに図３（ａ）、（ｂ）に示すような内蔵カメラ７やディスプレイ８、凹コネクタ１１ａやスイッチ１０を設ける。接続コード４はその一端部に凸コネクタ１５を備え、接続コード４は監視カメラ２を使用者の首から吊るす為の接続コード兼懸吊部材４としても兼用している。
【００３６】
携帯表示部３の表示装置は、デジタルカメラ３ｂのディスプレイ８を用いて構成する。即ち、デジタルカメラ３ｂは図３（ａ）に示すようにデジタルカメラ筐体３ｃの表面にレンズ２１やフラッシュ２２等を備え、裏面や側面には、図３（ｂ）に示すようにディスプレイ８、ファインダ４８、シャッタ９ｂ、操作キー９、四方向キー／決定キー９ａ等を備えて構成されている。
そして、デジタルカメラ３ｂを本発明の携帯表示部３のディスプレイとして用いる為に、デジタルカメラ３ｂの筐体３ｃの一部にスイッチ１０を設けると共に、底面壁に凹コネクタ１１ａを設ける。
【００３７】
図３（ｃ）は、本発明第２実施例における監視カメラ２の構成を示す。同図に示すように、接続コード４は使用者が監視カメラ２を携帯して使用する場合に首から吊るす為の接続コード兼懸吊部材４として利用される。
カメラ筐体１２の筐体前面１２ａには、レンズ２１とフラッシュ２２が設けてあり、監視カメラ２の筐体側部１２ｃの接続端子１４に接続された接続コード４は、一旦、カメラ筐体１２の懸吊部１２ｄの両端部に設けた懸吊穴２５から装飾を兼ねたループ長調整具２７に通し、使用状態とした際に懸吊長さを適宜調節し得るようにしてある（図４参照）。
なお、本実施例のように接続コード４を監視カメラ２携帯時の懸吊部材に兼用した場合は、接続コード４が監視カメラ２を携帯するのに邪魔にならずに懸吊部材代わりとし得るという効果を奏する。なお、図３（ｃ）における懸吊部材２６は、接続コード４と同様な電線入りコード線としてもよいが、伝導性のない紐であってもよい。また、懸吊部材２６の端部には紐留２８が設けてある。
【００３８】
また、図３（ｄ）は、前記第２実施例における監視カメラ２を図に示すようなカメラ筐体１２を用いて構成し、監視カメラ２を使用者の携帯物に係止する為の係止部材として、例えば、クリップ１３用の安全ピンを取付部１２ｂに備え、着脱時の便宜を図った構成にしてある。
そして、図３（ｅ）は図３（ｄ）の監視カメラ２をクリップ（安全ピン）１３で帽子２３に取付けて、着用した帽子２３を図３（ｅ）に示すように１８０度反転した状態に着用し、使用者１の頭部正面側に配置された監視カメラ２とデジタルカメラ３ｂの撮影機能とを用いて、被写体６ａを撮影している状況を示しているる。
これにより、前向きに頭部に配設された監視カメラ２は使用者１が楽にパン合せができ、本監視カメラ装置における分離された監視カメラ２を、使用者１の正面側で通常の写真撮影用とする場合にも便利な機能効果を発揮する。
【００３９】
図４は、前記第２実施例の監視カメラ装置２００の使用態様を例示する他の図である。
図４（ａ）は、使用者１が接続コード兼懸吊部材４を用いて監視カメラ２を首から背中に吊るして歩行するようにした場合の使用態様を示す図であり、図４（ｂ）は、図４（ａ）に示す使用態様を、使用者１の正面から見て表わした場合の図である。図４（ｂ）に示すように、使用者は、監視カメラ２を首から吊るして撮像する時の監視カメラ２の高さ位置やカメラアングル等を接続コード４に備えたループ長調整具２７によって、使用者の前側で適宜調整し得る。
【００４０】
図４（ｃ）は、接続コード４や懸吊部材２６を衣類の内側に潜らせるようにした使用態様を示す図である。図４（ｄ）は、自転車に乗った状態で背中に懸吊した監視カメラ２を所謂バックミラーとし用い、監視カメラ２の撮像状況をハンドルの取付金具３０に取付けた携帯表示部３で表示しつつ、自転車を漕いでいる状態を示している。
監視カメラ装置２００をバックミラー代りに使用した場合には、使用者にとって死角となる背後を携帯表示部３で表示することが出来るので、自転車やオートバイ等へ乗車した時の事故防止やひったくり防止に効果を発揮する。この例の如く、監視カメラ２を長時間使用する場合は、電源部６４（図５、図７参照）のバッテリーを外部から供給する形式とし、大容量のものに切替えることが好ましい。
【００４１】
図４（ｅ）は、図４（ａ）に示す使用状態から使用を停止した時に、監視カメラ２を前側に回して懸吊して携帯することにより、監視カメラ２を隠し得るようにした使用態様を示す図であり、ループ長調整具２７と紐留２８とは後ろ側に回動される。接続コード４を監視カメラ２の懸吊部材用に兼用することにより、監視カメラ２を使用時のみ後方に回動して使用することができ、携帯に便利である。
【００４２】
ところで、使用者が監視カメラ装置２００を携帯して歩行する場合には、前記ディスプレイ８に表示する画像を内蔵カメラ７の画像から、前記監視カメラ２の画像へ切替える必要がある。そこで、本発明第２実施例の監視カメラ装置２００では、スイッチ１０を別途設け、前記スイッチ１０によって切替える。なお、切替の回路構成の詳細に関しては図５に示したブロック図に基づいて以下に記述する。
【００４３】
図５は、本発明第２実施例の監視カメラ装置２００に係る回路構成を示すブロック図である。同図は、デジタルカメラ３ｂが画素数の多いフレーム読出し型ＣＣＤ素子を採用して構成され、メカニカル式シャッタが用いられた場合の構成を例示した図である。
ここに、ＣＣＤカメラの信号処理部分やメモリーカード部分等は本発明の構成の特徴と直接関係する部分ではないので、図３のブロック構成に関しては、特に、デジタルカメラを本発明の携帯表示部３に用いる際の前記ディスプレイの切替えについて説明する。
【００４４】
図５において、実線で囲った部分がデジタルカメラ３ｂの回路ブロックである。一点鎖線で囲った部分は内蔵カメラ部７の回路ブロックで、二点鎖線で囲った部分３ｃは監視カメラ２の制御を行う監視カメラ制御部３ｄの回路ブロックであり、点線で囲った部分１０は接続されるカメラを切替えて表示画像を切替える為のスイッチ１０である。なお、携帯表示部３は、一点鎖線で囲った内蔵カメラ部７をも包含する。
一方、図１や図２で説明した監視カメラ２の回路ブロックは、図５中に細実線で囲って示した部分であるが、本実施例では前記内蔵カメラ部７と同様な回路ブロックで構成されている。
【００４５】
内蔵カメラ７で撮像した画像をディスプレイ８で表示する場合は、制御部３ｃは内蔵カメラ７の制御を行い、監視カメラ２で撮像した画像をディスプレイ８で表示する場合は、制御部３ｃは監視カメラ２の制御を行う。スイッチ１０は前記２つのカメラの何れかの画像出力を選択してディスプレイ８に与える。
【００４６】
先ず、図５における信号系ブロック図を簡単に説明すると、ＣＣＤセンサ７ａからの出力はＣＤＳ・ＡＧＣ・Ａ／Ｄコンバータ５１に導かれてＡ／Ｄ変換が行われて、カメラＤＳＰ・メモリ・コントローラ５２に入力される。そして、カメラＤＳＰ・メモリ・コントローラ５２はＳＤＲＡＭ５３と接続され、更に、カメラＤＳＰ・メモリ・コントローラ５２からＴＧドライバ５４に出力されて、ＴＧドライバ５４を介してＣＣＤセンサ７ａ、ＣＤＳ・ＡＧＣ・Ａ／Ｄコンバータ５１に接続される一方、ＴＧドライバ５４からの出力はレンズ系２１のズーム・フォーカス・シャッ為カ機構系５５に接続されている。
なお、図５のブロック図では、ＣＰＵ５０からの信号は、スイッチ１０を介してカメラＤＳＰ・メモリ・コントロラ５２へ印加される。
【００４７】
即ち、監視カメラモードから内蔵カメラモードに切替えられると、スイッチ１０の中点が全て点線で示すＯＦＦ接点１０ｂ側に接続されて、監視カメラ２がＯＦＦ、内蔵カメラ７がＯＮとなり、内蔵カメラ７の画像出力がディスプレイ８に与えられる。
操作キー９からの指令はＣＰＵ５０に入力され、ＣＰＵ５０からＪＰＥＧ処理６１とメモリＩ／Ｆ６２に印加される。一方、ＣＰＵ５０からスイッチ１０のスイッチ中点５８を経由して、カメラＤＳＰ・メモリ・コントローラ５２に入力されており、カメラＤＳＰ・メモリ・コントローラ５２からスイッチ１０の接点５６を介してＲＧＢ信号がＬＣＤに入力される。更に、カメラＤＳＰ・メモリ・コントローラ５２からは接点５７を通してＹ／色差信号がＪＰＥＧ処理６１に導かれ、ＪＰＥＧ処理６１からメモリＩ／Ｆ６２に印加され、更に、メモリＩ／Ｆ６２からメモリカード６３に印加される。なお、サブＬＣＤ６７はＣＰＵ５０と結ばれてメニュー画面等を表示する。
【００４８】
内蔵カメラモードから監視カメラモードに切替えられた場合は、前記スイッチ１０の中点５６〜６０がＯＮ接点１０ａに切替えられて、前記内蔵カメラ部７と同様な回路ブロックで構成された監視カメラ２の各信号は接続コード４を介してスイッチ１０のＯＮ接点１０ａに接続される。
それに伴って、内蔵カメラ部７はＯＦＦにされると共に、監視カメラ２は内蔵カメラ部７と同様に、撮像状況が監視カメラ制御部３ｄで制御されることになる。
なお、必要により、監視カメラ２にもフラッシュ２２を備えた構成としてもよく、また、電源部６４からの電源系統は、電源スイッチ６５を介してスイッチのＯＮ接点から端子６６を通じて監視カメラ制御部３ｄに給電する一方、監視カメラモードの時はスイッチ接点６０から接続コード４を通じて監視カメラ２の端子６７に給電される。
【００４９】
なお、前記した第２実施例の説明では、内臓カメラ部７と監視カメラ２との切替えをスイッチ１０で行うとして説明したが、スイッチ１０を設けずに切替えるようにすることも出来る。以下、この点について説明する。
図３にはスイッチ１０が描かれているが、スイッチ１０を設けずに、カメラの切替を行うには、接続コード４の凸コネクタ１５をカメラ筐体３ｃに設けた凹コネクタ１１ａに接続する際の接続操作と連動させて切替えを行う。
即ち、凹コネクタ１１ａと凸コネクタ１５とのセットでスイッチの機能を持たせ、凹コネクタ１１ａに対する凸コネクタ１５の嵌脱に連動させてディスプレイモードを切替えることが出来る。この場合、図５におけるスイッチ１０の動作と同様な動作が、凸コネクタ１５の抜き挿しに連動して行われ、凸コネクタ１５が凹コネクタ１１ａへ挿入された時は監視カメラモードに切替えられ、凸コネクタ１５が凹コネクタ１１ａから抜かれた時は内蔵カメラモードに切替えられる。
【実施例３】
【００５０】
次に、本発明第３実施例の監視カメラ装置３００について説明する。
図６（ａ）、（ｂ）は第３実施例監視カメラ２の携帯表示部３に流用したカメラ付携帯電話機３ｅの外観例を例示している。図６（ａ）はカメラ付携帯電話機３ｅの正面斜視図、図６（ｃ）は背面斜視図である。本発明の監視カメラ装置３００は、カメラ付携帯電話機３ｅ等に特徴を有するものではないが、第３実施例に用いたカメラ付携帯電話機３ｅの概要を説明すると、カメラ付電話機筐体（以後の説明では、単に筐体と記して説明する）は筐体３ｆと筐体３ｇから構成されており、該二つの筐体がヒンジ２４によって互いに折畳み形式の構造になっている。
【００５１】
そして、一方の筐体３ｆには図６（ａ）に示す外面に、内臓カメラ７のレンズ２１やフラッシュ２２が設けてあり、他方の筐体３ｇの外面にはアンテナ７４が設けられている。
また、図６（ｂ）に示す筐体３ｆの外面にはディスプレイ８、スピーカ７９が設けられ、筐体３ｇの内面には、四方向キー／決定キー９ａ、シャッタボタン９ｂ、操作キー９、マイクロホン７５等が設けられた構成を例示している。
【００５２】
次に、携帯型電子機器であるカメラ付携帯電話３ｅを用いて本発明における携帯表示部３を構成し、監視カメラ装置３００とした第３実施例について図面と共に説明する。
第３実施例監視カメラ装置３００は、図６（ａ）、（ｂ）のカメラ付携帯電話機３ｅにおける内蔵カメラ部７を脱着式に構成したものである。即ち、図６（ａ）、（ｂ）の両図はカメラ付携帯電話機３ｅから内蔵カメラ部７を一旦、分離して別筐体とした後、再び、一体のカメラ付携帯電話機３ｅに合体した状態を示した図である。
本第３実施例監視カメラ装置３００のように、例えば、カメラ付携帯電話機３ｅを用いて内蔵カメラと表示部とに分離し、更に、合体可能な構成したことで、一体に構成した場合はカメラ付携帯電話機３ｅとして機能させ得ると共に、図６（ｅ）に示すように分離別体にして両者をコード接続する構成とした場合は、以下に記述するように、監視カメラ装置３００への流用を可能とし、二役的機能を発揮する効果を奏し得る。
【００５３】
そこで、図７（ｃ）は図７（ａ）のように内臓カメラ７を備えて一体に構成されていたカメラ付携帯電話機３ｅから、内臓カメラ７が分離された構成残部による本発明監視カメラ装置の携帯表示部３を示しており、一方、図７（ｄ）は前記カメラ７でカメラ筐体１２を用いて、別筐体のカメラ筐体１２で構成した監視カメラ２の図である。
カメラ筐体１２が除去された筐体３ｆのカメラ取付面３１の下部には、監視カメラ２（内蔵カメラ７）の凸端子３３と係合される凹コネクタ１１ａや監視カメラ２と合体時にカメラ筐体１２に設けられた嵌合爪３４と勘合してカメラ筐体１２を保持する嵌合部３２等が設けられている。
【００５４】
また、該内蔵カメラ７が分離された構成残部の図７（ｃ）は正面から見ると、図７（ｂ）のような図になり、ディスプレイ８や操作キー９を備え、内蔵カメラ７が除去された状態であっても携帯用電話機として機能し、本発明第３実施例の監視カメラ装置３００では、図７（ｅ）に示すように監視カメラ２と接続コード４で接続された際に携帯表示部３として機能し得るように構成されている。
一方、監視カメラ２の正面には図６（ｄ）のようにレンズ２１及び必要によりフラッシュ２２を設ける。そして、本第３実施例ではカメラ筐体１２の上端部を懸吊部１２ｄとしてクリップ用の安全ピン１３ｃを備え、下部には凸端子３３と嵌合爪３４を備えて構成してある。
【００５５】
図６（ｅ）は、前記監視カメラ２と携帯表示部３とを、接続コード４の両端に設けた凸コネクタ１５と凹コネクタ３６とを用いて、凸コネクタ１５を携帯表示部３の凹コネクタ１１ａに、コードの凹コネクタ３６を監視カメラ２の凸端子３３に差込み、本発明の第３実施例監視カメラ装置３００を構成した状態である。
また、本第３実施例と関連して、図６（ｆ）に図示する携帯用の監視カメラホルダー３８を別途用意し、該監視カメラ２を図６（ｃ）示したカメラ取付面３１と類似構成の監視カメラホルダー３８に構成し、監視カメラ２を前記図３（ｃ）の実施例のような接続コード兼懸吊部材４による首からの吊下げ携帯式に構成とすることも出来るい。
【００５６】
そして、図６（ｅ）の第３実施例監視カメラ装置３００から両コネクタを取外し、監視カメラ２をカメラ取付面３１に合体挿着してカメラ付携帯電話機３ｅとした状態が前記図６（ａ）と、図６（ｂ）である。この合体状態では、監視カメラ２が内蔵カメラ部７として機能し、通常のカメラ付携帯電話機３ｅとしての機能する。
カメラ付携帯電話機３ｂから、内蔵カメラ７を分離構成として本発明の監視カメラ装置３００に構成したり、合体してカメラ付携帯携帯電話機３ｅに構成することができ、二つの機能効果が発揮し得る利点がある。
【００５７】
本発明の第３実施例監視カメラ装置３００の回路ブロック図について説明する。
図７は、前記第３実施例のカメラ付携帯電話機３ｅを本発明に流用して構成した回路ブロック図を示す。一般に、カメラ付携帯電話機３ｅは機能ブロックが多く構成が複雑であるが、本発明は通信機能等の構成に係るものではないので図７では大きなブロックとしての概要を示す。
先ず、図７の通信機能部はアンテナ７０からの電波がＲＦユニット７１に入力され、アナログ・ベースバンド信号処理７２を得てデジタル・ベースバンド信号処理・ＣＰＵ回路７３に導かれる。また、デジタル・ベースバンド信号処理・ＣＰＵ７３から音声ＣＯＤＥＣ７４に接続され、マイクロホン７５から音声ＣＯＤＥＣ７４に入力７４に入力されると共に、音声ＣＯＤＥＣ７４からスピーカ７６に出力される。一方、デジタル・ベースバンド信号処理・ＣＰＵ回路７３からはメインＬＣＤ８にディスプレイ信号が出力される。
【００５８】
一方、一点鎖線で囲った監視カメラ２（または、内蔵カメラ部７）のカメラ信号系統はレンズ２１を通してＣＣＤ／ＣＭＯＳセンサ７ａに導かれ、更に、カメラ信号処理・ＴＧ回路７７と接続される。そして、図７に細二点鎖線で囲って示した部分が前記図６の携帯表示部３の入力端子１１ａにおける端子接点であるが、本第３実施例の構成では、カメラ信号回路・ＴＧ７７と、デジタル・ベースバンド信号処理・ＣＰＵ７３の回路が入力端子１１ａの接点７８を経由して接続される構成になっている。
【００５９】
そして、操作キー９からの指令信号がデジタル・ベースバンド信号処理・ＣＰＵ７３に入力されてメインＬＣＤ８で撮像画像等のディスプレイが行われる。また、監視カメラ２の機能としては必要によりカメラ部に設けたフラッシュ２２に、破線で示すように７３から接点７９を経由して接続する。
次に、前記図６（ｅ）に示した監視カメラ２と携帯表示部３とを接続した接続コード４は、図７に楕円線で囲った示した接続コード４部分に相当し、接続コード４を前記図６（ｅ）のように接続した際は、両者間の信号授受を初め、電源部６４からの監視カメラ２への電源供給が電源スッチ６５を経由した、ＯＮ接点６５ａから端子６６を通じて二点鎖線で囲って示した前記監視カメラ制御部分３ｄに給電され、更に、入力端子１１の接点８０から接続コード４を通じて監視カメラ２の端子６７に給電さる。
【実施例４】
【００６０】
次に、本発明第４実施例の監視カメラ装置４００について説明する。
図８は、本監視カメラ装置４００における携帯表示部３として適用可能な各種ディスプレイ形態を例示する。
先ず、図８（ａ）はＤＶＣやＤＶＤで構成された携帯型ムービ３７であり、開閉式のＬＣＤディスプレイ８、操作キー９、ファインダ３８、スタート／ストップ３９、選択スイッチ４０、マイクロホン７５、スピーカ７６等を備えて構成されている。該ムービ３ｈのムービ筐体３ｊに図８（ａ）のように入力用凹コネクタ１１ａやスイッチ１０を備えて構成し、本発明の携帯表示部３として用いることが出来る。
【００６１】
次に、次世代の表示用ディスプレイとして厚さ１００μｍ程度の透明なフレキシブル有機ＥＬディスプレイの実用化開発が期待されるている。該ディスプレイが登場した場合は、例えば、図８（ｂ）に示すようにディスプレイ３をジャケットの袖部等に縫付ける構成も可能とされている（例えば、２００４年１月１日号の朝日新聞記事参照）。
図８（ｂ）〜図８（ｆ）の各図は、前記有機ＥＬディスプレイ素子で本発明の携帯表示部３を構成し、監視カメラ装置４００を構成した場合の各実施態様を示したものである。
即ち、図８（ｂ）は有機ＥＬディスプレイ付ジャケットとして、図のようにジャケットの袖部分に該表示機能を備え得る状態に縫付けた加工形成を携帯表示部３とした実施例である。図８（ｄ）は前記表示部を用いた監視カメラ装置４００の全体構成を示している。
【００６２】
使用者１は、例えば、図８（ｃ）のように背後に監視カメラ２を懸吊して使用状態で接続コード兼懸吊部材４を破線のようにジャケットに隠し、カメラコントローラ４１で監視カメラ２による撮像状況を制御しながらディスプレイ表示している状態である。
次に、図８（ｅ）は前記有機ＥＬディスプレイ３及び監視カメラ２付による所謂ハイテック帽子４２をイメージした図である。即ち、帽子４２の後部に監視カメラ２を取付けると共に、ひさしの内側４３に有機ＥＬディスプレイ３が張設する。そして、使用者１は時折、上目使いする視線で後方部状況を表示し得るようにしたハイテック帽子４２である。
このハイテック帽子４２を、例えば、マラソンや駅伝競技に着用した場合は後方を振り向くことなく後部状況をディスプレイした視認することが可能である。ほんハイテック４２は防犯用を初め、スポーツ用、歩行時、乗車時の安全用として効果を奏し得る。
【００６３】
また、図８（ｆ）は眼鏡３７の片眼のみに有機ＥＬディスプレイ３を貼着して携帯表示端末３を構成する一方、他眼側を普通の眼鏡として構成したディスプレイ付きの眼鏡３７とした実施例である。
ディスプレイ付きの眼鏡３７は、例えば、前記図８（ｄ）のような構成として用いることが出来る。この場合、使用者１は、右目で前方を見ながら、左目で後方状況を左の眼鏡にディスプレイ表示しつつ歩行し得る。
【００６４】
本発明における監視カメラ装置の発明は以下のように実施してもよい。
（１）図５や図７の回路ブロック図では、ＣＣＤ／ＣＭＯＳセンサ７ａからの出力信号形態をＲＧＢへの信号処理後に、携帯表示部の入力端子１１、１１ａに導く構成を例示したが、本発明はカメラからの映像信号形態を限定することなく、例えば、図５では前段のＡ／Ｄコンバータ５１の出力で切離して、入力端子１１に導くように構成にしてもよく、監視カメラ２における信号授受の形態は、ＬＳＩ構成、カメラ性能、及び、コストを勘案してブロック構成として用いればよい。
（２）ディスプレイのＬＣＤは、消費電力を要するので監視カメラ２を長時間携帯使用する際は、バッテリ電源部は別途大容量のものから供給したり、室内での使用時等にはＡＣ電源による充電端子で給電する構成にすると好ましい。
【００６５】
（３）また、本発明の携帯表示部にカメラ付携帯電話を流用して構成する場合等、例えば、本体の内蔵カメラ部がデジタルズーム式であった場合でも、監視カメラは光学ズーム式としたり、フラッシュを付加した構成とする等、監視カメラの性能が内蔵カメラを上回ｌた構成とし、更に、デジタルカメラやカメラ付携帯電話に転用を計る構成とする場合には、通常の写真撮影に該監視カメラの機能を用いること好ましい。
４）監視カメラに赤外線カメラを用いて構成し、暗い夜間帯での撮像が出来るようにすることも出来る。
【図面の簡単な説明】
【００６６】
【図１】本発明第１実施例に係る監視カメラ装置の構成を示す図である。
【図２】本発明第１実施例に係る監視カメラ装置の使用態様と監視カメラの取付け態様とを示す図である。
【図３】本発明第２実施例に係る監視カメラ装置にカメデジタルカメラを流用する場合の構成と使用態様を示す図である。
【図４】本発明第２実施例に係る監視カメラ装置の使用態様を示す図である。
【図５】本発明第２実施例に係る監視カメラ装置における監視カメラと内蔵カメラとの切替を示す回路ブロック図である。
【図６】本発明第３実施例に係る監視カメラ装置にカメラ付携帯電話機を流用して構成した着脱型を示す図である。
【図７】本発明第３実施例に係る監視カメラ装置にカメラ付携帯電話機を流用した回路ブロック図である。
【図８】本発明第３実施例に係る監視カメラ装置における携帯表示部の各実施例構成の斜視図である。
【符号の説明】
【００６７】
１００、２００、３００、４００  監視カメラ装置
１      使用者
２      監視カメラ
３      携帯表示部
３ａ    表示部筐体
３ｂ    デジタルカメラ
３ｄ    監視カメラ制御部
３ｅ    装置カメラ付携帯電話機
３ｈ    携帯型ムービ（ＤＶＣ、ＤＶＤ）
４      接続コード
５      ショルダーバッグ
６      尾行犯
７      内蔵カメラ部
７ａ    ＣＣＤ／ＣＭＯＳセンサ
８      ＬＣＤ（メイン）
９      操作キー
９ａ    四方向キー／決定キー
１０    スイッチ
１０ａ  ＯＮ接点
１０ｂ  ＯＦＦ接点
１１    入力端子（凹コネクタ）
１２    カメラ筐体
１３    クリップ
１４    接続端子
１５    凸コネクタ
１６    カメラケース
１７    蓋部
１８    屈曲部
１９    凹ホック
２０    凸ホック
２１    レンズ
２２    フラッシュ
２３    帽子
２４    ヒンジ
２５    懸吊穴
２６    懸吊部材
２７    ループ長調整具
２８    紐留
【図１】
2004236347.tif 000003
【図２】
2004236347.tif 000004
【図３】
2004236347.tif 000005
【図４】
2004236347.tif 000006
【図５】
2004236347.tif 000007
【図６】
2004236347.tif 000008
【図７】
2004236347.tif 000009
【図８】
2004236347.tif 000010
【手続補正書】
【提出日】平成16年5月21日(2004.5.21)
【手続補正１】
【補正対象書類名】明細書
【補正対象項目名】０００３
【補正方法】変更
【補正の内容】
【０００３】
一方、最近のデジタルブームと共に著しく普及しつつあるデジタルカメラやカメラ付携帯電話機等に防犯機能を付加して構成した防犯装置の公知技術としては、携帯電話端末に警報音を発する装置を付属させた装置があり、例えば文献１（特許文献１）に開示されている。更に、前記携帯電話機に付属させる防犯機能として警報音と同時に、フラッシュライトを発光させる構成とし、それら二つの防犯手段を備えて緊急時に警報を発っしたり、該通信端末から警察等へ自動転送する構成として、犯人からの被害を防止するようにした携帯型防犯装置があり、例えば公知文献２（特許文献２）に開示されている。
また、カメラ付携帯電話機の画像データをメモリに保存し、画像比較手段を用いて防犯装置を構成する技術が、例えば文献３（特許文献３）に開示されている。
【特許文献１】特開２００１−１０９９７６号公報
【特許文献２】特開２００３−２１９０６２号公報
【特許文献３】特開２００２−１５２３４１号公報
【手続補正２】
【補正対象書類名】図面
【補正対象項目名】図６
【補正方法】変更
【補正の内容】
【図６】
2004236347.tif 000011
【手続補正３】
【補正対象書類名】図面
【補正対象項目名】図７
【補正方法】変更
【補正の内容】
【図７】
2004236347.tif 000012